【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
印刷媒体を搬送する搬送路を構成する複数個のユニットにより構成される印刷装置において、
一方のユニットに設けられ、一方のユニットを構成している支持部材に取り付けられ、レーザ光を照射するレーザ光照射手段と、
他方のユニットに設けられ、他方のユニットを構成している支持部材に取り付けられ、前記レーザ光照射手段からのレーザ光を受光するレーザ光受光手段と、
を備え、
前記一方のユニットの支持部材は、前記レーザ光照射手段のレーザ光照射方向に第１の照射側絞り部と第２の照射側絞り部とを備え、
前記第１の照射側絞り部と前記第２の照射側絞り部とを結ぶ光路が前記一方のユニットの支持部材に対して平行に取り付けられており、
前記他方のユニットの支持部材は、前記レーザ光受光手段へのレーザ光の入射側に、前記第１の照射側絞り部及び前記第２の照射側絞り部の絞り径よりも大径の絞りを備え、レーザ光を透過する中心部を除く周囲に、レーザ光を減光する減光部を備えている透明板を取り付けた入射側絞り部を備えており、
前記レーザ光照射手段からのレーザ光が前記レーザ光受光手段に照射させるように位置合わせを行うことを特徴とする印刷装置。
【請求項２】
請求項１に記載の印刷装置において、
前記一方のユニットの支持部材は、前記レーザ光照射手段のレーザ光照射方向に第１の照射側絞り部と第２の照射側絞り部とを備え、
前記第１の照射側絞り部と前記第２の照射側絞り部とを結ぶ光路が前記一方のユニットの支持部材に対して平行に取り付けられていることを特徴とする印刷装置。
【請求項３】
請求項１または２に記載の印刷装置において、
前記レーザ光照射手段と前記レーザ光受光手段とは、光路が直交する姿勢で前記一方のユニット及び前記他方のユニットの支持部材に取り付けられ、
前記光路には、前記レーザ光照射手段からのレーザ光を前記レーザ光受光手段に導くために４５°の傾斜姿勢で配置された反射手段を備えていることを特徴とする印刷装置。
【請求項４】
請求項１に記載の印刷装置において、
前記レーザ光照射手段は、前記一方のユニットのいずれかの一面を構成する支持部材を選択して取り付け可能であり、
前記レーザ光受光手段は、前記他方のユニットのいずれかの一面を構成する支持部材を選択して取り付け可能であることを特徴とする印刷装置。
【請求項５】
請求項１から４のいずれかに記載の印刷装置において、
前記一方のユニットと前記他方のユニットとの間に少なくとも一台のユニットが中間ユニットとして配置され、
前記レーザ光照射手段からのレーザ光を、前記中間ユニットを介して前記レーザ光受光手段に受光させるように位置合わせを行うことを特徴とする印刷装置。
【請求項６】
請求項５に記載の印刷装置において、
前記中間ユニットは、支持部材に絞り部を備え、
前記レーザ光照射手段からのレーザ光を、前記中間ユニットの絞り部を通して前記レーザ光受光手段に受光させるように位置合わせを行うことを特徴とする印刷装置。
【請求項７】
印刷媒体を搬送する搬送路を構成する複数個のユニットにより構成される印刷装置の配置位置調整方法において、
一方のユニットに設けられ、一方のユニットを構成している支持部材に取り付けられたレーザ光照射手段から前記支持部材に対して光路が平行となるレーザ光を照射させる過程と、
他方のユニットに設けられ、他方のユニットを構成している支持部材に取り付けられたレーザ光受光手段に前記レーザ光照射手段からのレーザ光が照射されるように配置位置を調整する過程と、
を有し、
前記一方のユニットの支持部材は、前記レーザ光照射手段のレーザ光照射方向に第１の照射側絞り部と第２の照射側絞り部とを備え、
前記第１の照射側絞り部と前記第２の照射側絞り部とを結ぶ光路が前記一方のユニットの支持部材に対して平行に取り付けられており、
前記他方のユニットの支持部材は、前記レーザ光受光手段へのレーザ光の入射側に、前記第１の照射側絞り部及び前記第２の照射側絞り部の絞り径よりも大径の絞りを備え、レーザ光を透過する中心部を除く周囲に、レーザ光を減光する減光部を備えている透明板を取り付けた入射側絞り部を備えていることを特徴とする印刷装置の配置位置調整方法。
【請求項８】
請求項７に記載の印刷装置の配置位置調整方法において、
前記一方のユニットと前記他方のユニットとの間に少なくとも一台のユニットが中間ユニットとして配置され、
前記配置位置を調整する過程は、前記レーザ光照射手段からのレーザ光を、前記中間ユニットを介して前記レーザ光受光手段に受光させるように位置合わせを行うことを特徴とする印刷装置の配置位置調整方法。
【手続補正２】
【補正対象書類名】明細書
【補正対象項目名】０００７
【補正方法】変更
【補正の内容】
【０００７】
本発明は、このような目的を達成するために、次のような構成をとる。
すなわち、請求項１に記載の発明は、印刷媒体を搬送する搬送路を構成する複数個のユニットにより構成される印刷装置において、一方のユニットに設けられ、一方のユニットを構成している支持部材に取り付けられ、レーザ光を照射するレーザ光照射手段と、他方のユニットに設けられ、他方のユニットを構成している支持部材に取り付けられ、前記レーザ光照射手段からのレーザ光を受光するレーザ光受光手段と、を備え、前記一方のユニットの支持部材は、前記レーザ光照射手段のレーザ光照射方向に第１の照射側絞り部と第２の照射側絞り部とを備え、前記第１の照射側絞り部と前記第２の照射側絞り部とを結ぶ光路が前記一方のユニットの支持部材に対して平行に取り付けられており、前記他方のユニットの支持部材は、前記レーザ光受光手段へのレーザ光の入射側に、前記第１の照射側絞り部及び前記第２の照射側絞り部の絞り径よりも大径の絞りを備え、レーザ光を透過する中心部を除く周囲に、レーザ光を減光する減光部を備えている透明板を取り付けた入射側絞り部を備えており、前記レーザ光照射手段からのレーザ光が前記レーザ光受光手段に照射させるように位置合わせを行うことを特徴とするものである。
【手続補正３】
【補正対象書類名】明細書
【補正対象項目名】０００８
【補正方法】変更
【補正の内容】
【０００８】
［作用・効果］請求項１に記載の発明によれば、一方のユニットに取り付けられたレーザ光照射手段からの、ユニットに対して平行な光路で照射したレーザ光を、他方のユニットに取り付けられたレーザ光受光手段に照射されるように位置合わせを行う。レーザ光は、可干渉性が高いので、拡散せずに直進する。したがって、レーザ光が照射できるように位置合わせを行う光学的な位置決めにより、精密に位置決めができる。また、第１の照射側絞り部と第２の照射側絞り部とを結ぶ光路が一方のユニットの支持部材に対して平行である。したがって、第１の照射側絞り部と第２の照射側絞り部とを通して照射されたレーザ光が他方のユニットのレーザ光受光手段に照射されると、他方のユニットの支持部材が一方のユニットの支持部材に対して直線上に位置し、他方のユニットの支持部材が第１の照射側絞り部と第２の照射側絞り部と平行となる。その結果、一方のユニットと他方のユニットとを正確に直線的に位置合わせできる。また、入射側絞り部によりレーザ光が傾斜して照射されることを防止できるので、位置合わせ精度を向上できる。さらに、入射側絞り部は大径の絞りと透明板を備えているので、レーザ光照射手段からのレーザ光が入射側絞り部の中心から若干ずれていても入射側絞り部の透明板にレーザ光が入射していることを視認できる。したがって、入射絞り部の中心にレーザ光が入射するように位置合わせを行い易くできる。その結果、作業性を向上できる。その上、透明板の減光部によりレーザ光を視認しや易くできるので、より作業性を向上できる。
【手続補正４】
【補正対象書類名】明細書
【補正対象項目名】０００９
【補正方法】変更
【補正の内容】
【０００９】
（削除）
【手続補正５】
【補正対象書類名】明細書
【補正対象項目名】００１０
【補正方法】変更
【補正の内容】
【００１０】
（削除）
【手続補正６】
【補正対象書類名】明細書
【補正対象項目名】００１１
【補正方法】変更
【補正の内容】
【００１１】
また、本発明において、前記他方のユニットの支持部材は、前記レーザ光受光手段へのレーザ光の入射側に、第１の入射側絞り部と第２の入射側絞り部とを備え、前記第１の入射側絞り部と前記第２の入射側絞り部とを結ぶ光路が前記他方のユニットの支持部材に対して平行に取り付けられていることが好ましい（請求項２）。
【手続補正７】
【補正対象書類名】明細書
【補正対象項目名】００１３
【補正方法】変更
【補正の内容】
【００１３】
（削除）
【手続補正８】
【補正対象書類名】明細書
【補正対象項目名】００１４
【補正方法】変更
【補正の内容】
【００１４】
（削除）
【手続補正９】
【補正対象書類名】明細書
【補正対象項目名】００１５
【補正方法】変更
【補正の内容】
【００１５】
（削除）
【手続補正１０】
【補正対象書類名】明細書
【補正対象項目名】００１６
【補正方法】変更
【補正の内容】
【００１６】
（削除）
【手続補正１１】
【補正対象書類名】明細書
【補正対象項目名】００１７
【補正方法】変更
【補正の内容】
【００１７】
（削除）
【手続補正１２】
【補正対象書類名】明細書
【補正対象項目名】００１８
【補正方法】変更
【補正の内容】
【００１８】
（削除）
【手続補正１３】
【補正対象書類名】明細書
【補正対象項目名】００１９
【補正方法】変更
【補正の内容】
【００１９】
また、本発明において、前記レーザ光照射手段と前記レーザ光受光手段とは、光路が直交する姿勢で前記一方のユニット及び前記他方のユニットの支持部材に取り付けられ、前記光路には、前記レーザ光照射手段からのレーザ光が前記レーザ光受光手段に導くために４５°の傾斜姿勢で配置された反射手段を備えていることが好ましい（請求項３）。
【手続補正１４】
【補正対象書類名】明細書
【補正対象項目名】００２１
【補正方法】変更
【補正の内容】
【００２１】
また、本発明において、前記レーザ光照射手段は、前記一方のユニットのいずれかの一面を構成する支持部材を選択して取り付け可能であり、前記レーザ光受光手段は、前記他方のユニットのいずれかの一面を構成する支持部材を選択して取り付け可能であることが好ましい（請求項４）。
【手続補正１５】
【補正対象書類名】明細書
【補正対象項目名】００２３
【補正方法】変更
【補正の内容】
【００２３】
また、本発明において、前記一方のユニットと前記他方のユニットとの間に少なくとも一台のユニットが中間ユニットとして配置され、前記レーザ光照射手段からのレーザ光を、前記中間ユニットを介して前記レーザ光受光手段に受光させるように位置合わせを行うことが好ましい（請求項５）。
【手続補正１６】
【補正対象書類名】明細書
【補正対象項目名】００２５
【補正方法】変更
【補正の内容】
【００２５】
また、本発明において、前記中間ユニットは、支持部材に絞り部を備え、前記レーザ光照射手段からのレーザ光を、前記中間ユニットの絞り部を通して前記レーザ光受光手段に受光させるように位置合わせを行うことが好ましい（請求項６）。
【手続補正１７】
【補正対象書類名】明細書
【補正対象項目名】００２７
【補正方法】変更
【補正の内容】
【００２７】
また、請求項７に記載の発明は、印刷媒体を搬送する搬送路を構成する複数個のユニットにより構成される印刷装置の配置位置調整方法において、一方のユニットに設けられ、一方のユニットを構成している支持部材に取り付けられたレーザ光照射手段から前記支持部材に対して光路が平行となるレーザ光を照射させる過程と、他方のユニットに設けられ、他方のユニットを構成している支持部材に取り付けられたレーザ光受光手段に前記レーザ光照射手段からのレーザ光が照射されるように配置位置を調整する過程と、を有することを特徴とするものである。
【手続補正１８】
【補正対象書類名】明細書
【補正対象項目名】００２８
【補正方法】変更
【補正の内容】
【００２８】
［作用・効果］請求項７に記載の発明によれば、一方のユニットのレーザ光照射手段からレーザ光を照射させ、他方のユニットのレーザ光受光手段にレーザ光が照射されるように、一方のユニットまたは他方のユニット、または一方のユニット及び他方のユニットの配置位置を調整する。レーザ光は、可干渉性が高いので、拡散せずに直進する。したがって、レーザ光が受信できるように位置合わせを行う光学的な位置決めにより、精密に位置決めができる。
【手続補正１９】
【補正対象書類名】明細書
【補正対象項目名】００２９
【補正方法】変更
【補正の内容】
【００２９】
また、本発明において、前記一方のユニットと前記他方のユニットとの間に少なくとも一台のユニットが中間ユニットとして配置され、前記配置位置を調整する過程は、前記レーザ光照射手段からのレーザ光を、前記中間ユニットを介して前記レーザ光受光手段に受光させるように位置合わせを行うことが好ましい（請求項８）。
【手続補正２０】
【補正対象書類名】明細書
【補正対象項目名】００３１
【補正方法】変更
【補正の内容】
【００３１】
本発明に係る印刷装置によれば、一方のユニットに取り付けられたレーザ光照射手段からの、ユニットに対して平行な光路で照射したレーザ光を、他方のユニットに取り付けられたレーザ光受光手段に照射されるように位置合わせを行う。レーザ光は、可干渉性が高いので、拡散せずに直進する。したがって、レーザ光が照射できるように位置合わせを行う光学的な位置決めにより、精密に位置決めができる。また、第１の照射側絞り部と第２の照射側絞り部とを結ぶ光路が一方のユニットの支持部材に対して平行である。したがって、第１の照射側絞り部と第２の照射側絞り部とを通して照射されたレーザ光が他方のユニットのレーザ光受光手段に照射されると、他方のユニットの支持部材が一方のユニットの支持部材に対して直線上に位置し、他方のユニットの支持部材が第１の照射側絞り部と第２の照射側絞り部と平行となる。その結果、一方のユニットと他方のユニットとを正確に直線的に位置合わせできる。また、入射側絞り部によりレーザ光が傾斜して照射されることを防止できるので、位置合わせ精度を向上できる。さらに、入射側絞り部は大径の絞りと透明板を備えているので、レーザ光照射手段からのレーザ光が入射側絞り部の中心から若干ずれていても入射側絞り部の透明板にレーザ光が入射していることを視認できる。したがって、入射絞り部の中心にレーザ光が入射するように位置合わせを行い易くできる。その結果、作業性を向上できる。その上、透明板の減光部によりレーザ光を視認しや易くできるので、より作業性を向上できる。